(57)【特許請求の範囲】
【請求項１】
つぎの事項（１）〜（10）により特定されるカラオケ装置。
（１）リーダライタと、記憶手段と、操作入力手段と、制御手段と、表示手段を備え、演奏予約されたリクエスト曲を順番に演奏するカラオケ装置であること
（２）リーダライタは、利用者により携帯型記録媒体を結合分離自在であり、結合された携帯型記録媒体から個人的カラオケ関連情報を読み取り可能であるとともに、個人的カラオケ関連情報を当該媒体に書き込み可能であること
（３）個人的カラオケ関連情報は、個体識別子と、楽曲別の利用履歴の付帯した選曲リスト情報を含むこと
（４）記憶手段は、個人的カラオケ関連情報を複数格納すること
（５）操作入力手段は、利用者入力を受け付け可能であること
（６）制御手段は、リーダライタに携帯型記録媒体Ａが結合された際、第１、第２処理を行うこと
（７）第１処理は、当該媒体Ａから個人的カラオケ関連情報を読み取らせ、当該情報中の個体識別子Ｂと同一個体識別子Ｂの個人的カラオケ関連情報が記憶手段に格納されているか否かを調べ、格納されている場合は記憶手段中の当該個人的カラオケ関連情報を当該媒体Ａに書き込ませ、格納されていない場合は当該媒体Ａの個人的カラオケ関連情報を記憶手段に格納すること
（８）第２処理は、個体識別子Ｂの個人的カラオケ関連情報中の選曲リストを表示手段に表示させ、選曲リストの表示中からリクエスト曲を特定する利用者入力を受け付け可能とすること
（９）制御手段は、第２処理にてリクエスト曲を特定する利用者入力を受け付けた際、当該リクエスト曲Ｃを演奏予約するとともに、記憶手段中の個体識別子Ｂの個人的カラオケ関連情報におけるリクエスト曲Ｃに対応する楽曲Ｃの利用履歴を更新すること
（10）制御手段は、第２処理にてリクエスト曲を特定する利用者入力を受け付けることがないままリーダライタから携帯型記録媒体Ａが分離された際、第２処理を終了するとともに、記憶手段中の個体識別子Ｂの個人的カラオケ関連情報を消去すること
【請求項２】
請求項１における発明特定事項（10）をつぎの事項（ａ）に置換したカラオケ装置。
（ａ）制御手段は、第２処理にてリクエスト曲を特定する利用者入力を受け付けることがないままリーダライタから携帯型記録媒体Ａが分離された際、選曲中止を確認する利用者入力を待ち、当該利用者入力に応答して第２処理を終了するとともに、記憶手段中の個体識別子Ｂの個人的カラオケ関連情報を消去すること
【請求項３】
制御手段は、電源投入時のイニシャル処理として、記憶手段に格納されている個人的カラオケ関連情報を消去する
請求項１または２に記載のカラオケ装置。
【発明の詳細な説明】
【０００１】
【発明の属する技術分野】
この発明はカラオケ装置に関し、特にカラオケ利用者の所有する携帯型記録媒体に記録されたカラオケ関連情報を更新する技術に関する。
【０００２】
【従来の技術】
カラオケ利用者に各自専用のＩＣカードを持たせ、このＩＣカードを利用するサービスが提案されている（特開平８−６５７８号公報等）。このＩＣカードに、選曲履歴や演奏条件および採点履歴といった個人別のカラオケ関連情報データを蓄積しておく。カラオケ利用者は、カラオケ装置に付属する読取／書込装置に自己のＩＣカードを挿入してカラオケ関連情報データを読み取らせる。
【０００３】
このことで、図２に示すように、いつもリクエストしている曲名をディスプレイに表示させる。この例では、選曲数の多い順に曲名が上から並べられている。そして、リモコンのカーソルボタンを操作して歌いたい曲名を指定することで簡単に選曲できる。演奏にあたって、キーやテンポなど演奏条件も表示された通りとなる。実際に歌うと採点されて、それが過去の点数に加えた新たな平均値となる。また、選曲した回数も加えられる。
以上のようにして最新となったカラオケ関連情報データは、各自のＩＣカードにおいて更新される必要がある。
【０００４】
【発明が解決しようとする課題】
このＩＣカードにおけるカラオケ関連情報データの更新の仕方が問題である。ＩＣカードは、カラオケ関連情報データが読み出されてからリクエスト曲の演奏、そして採点が終わり、データが更新されるまでの間、読取／書込装置に挿入したままにしなくてはならない。
【０００５】
ところがカラオケボックスなどでは、多数のカラオケ利用者が我先にリクエストをしたがる。つまり、あるカラオケ利用者がＩＣカードを挿入して自己のカラオケ関連情報データを読み取らせたら、すぐに抜き取らなければならない。
もし抜き取らずに、カラオケ関連情報データが更新されるまで挿入したままにしておいたら、他のカラオケ利用者がＩＣカードを挿入することができず、選曲操作やカラオケ演奏の進行が滞ることになる。
【０００６】
本発明は、このような課題を解決するためになされたものであり、その目的は、携帯型の記録媒体を利用した選曲操作やカラオケ演奏が滞ることなく、携帯型記録媒体のカラオケ関連情報データを更新することにある。
【０００７】
【課題を解決するための手段】
この発明に係るカラオケ装置は、つぎの事項（１）〜（10）により特定されるものである。
（１）リーダライタと、記憶手段と、操作入力手段と、制御手段と、表示手段を備え、演奏予約されたリクエスト曲を順番に演奏するカラオケ装置であること
（２）リーダライタは、利用者により携帯型記録媒体を結合分離自在であり、結合された携帯型記録媒体から個人的カラオケ関連情報を読み取り可能であるとともに、個人的カラオケ関連情報を当該媒体に書き込み可能であること
（３）個人的カラオケ関連情報は、個体識別子と、楽曲別の利用履歴の付帯した選曲リスト情報を含むこと
（４）記憶手段は、個人的カラオケ関連情報を複数格納すること
（５）操作入力手段は、利用者入力を受け付け可能であること
（６）制御手段は、リーダライタに携帯型記録媒体Ａが結合された際、第１、第２処理を行うこと
（７）第１処理は、当該媒体Ａから個人的カラオケ関連情報を読み取らせ、当該情報中の個体識別子Ｂと同一個体識別子Ｂの個人的カラオケ関連情報が記憶手段に格納されているか否かを調べ、格納されている場合は記憶手段中の当該個人的カラオケ関連情報を当該媒体Ａに書き込ませ、格納されていない場合は当該媒体Ａの個人的カラオケ関連情報を記憶手段に格納すること
（８）第２処理は、個体識別子Ｂの個人的カラオケ関連情報中の選曲リストを表示手段に表示させ、選曲リストの表示中からリクエスト曲を特定する利用者入力を受け付け可能とすること
（９）制御手段は、第２処理にてリクエスト曲を特定する利用者入力を受け付けた際、当該リクエスト曲Ｃを演奏予約するとともに、記憶手段中の個体識別子Ｂの個人的カラオケ関連情報におけるリクエスト曲Ｃに対応する楽曲Ｃの利用履歴を更新すること
（10）制御手段は、第２処理にてリクエスト曲を特定する利用者入力を受け付けることがないままリーダライタから携帯型記録媒体Ａが分離された際、第２処理を終了するとともに、記憶手段中の個体識別子Ｂの個人的カラオケ関連情報を消去すること
【０００８】
上記の発明特定事項（10）は、つぎの事項（ａ）に置換可能である。
（ａ）制御手段は、第２処理にてリクエスト曲を特定する利用者入力を受け付けることがないままリーダライタから携帯型記録媒体Ａが分離された際、選曲中止を確認する利用者入力を待ち、当該利用者入力に応答して第２処理を終了するとともに、記憶手段中の個体識別子Ｂの個人的カラオケ関連情報を消去すること
【０００９】
この発明の好ましい実施形態としては、制御手段は、電源投入時のイニシャル処理として、記憶手段に格納されている個人的カラオケ関連情報を消去する。
【００１０】
【発明の実施の形態】
＝＝＝＝カラオケ演奏機能＝＝＝＝
カラオケ装置１による楽曲の再生は、図１のブロック図に示すように、中央処理装置１１の制御のもとでつぎの通りに行われる。カラオケ利用者はリモコン送信器２４または操作パネル１７を操作することで楽曲番号を入力する。入力された楽曲番号の伴奏音楽データおよび歌詞データをハードディスク装置２０から読み出す。ＭＩＤＩ信号からなる伴奏音楽データが順次シンセサイザ１４に入力されてオーディオ信号に変換される。このオーディオ信号は、ミキシングアンプ１５でマイク２１の出力と混合されてスピーカ２３から出力される。
このオーディオ出力と同期して、中央処理装置１１は歌詞データを順次文字列に変換してビデオＲＡＭ１３に書き込む。同時に、歌詞文字列に曲の進行を示す色変化を付ける処理を行う。ビデオＲＡＭ１３の内容は表示制御部１２によりディスプレイ２２に表示される。
【００１１】
背景映像用の動画情報はＣＤ−ＲＯＭプレーヤ２５にて再生される。表示制御部１２は、再生すべき映像データの選択処理を行い、決定した映像データをＣＤ−ＲＯＭプレーヤ２５で再生する。そして表示制御部１２は、ＣＤ−ＲＯＭプレーヤ２５からの映像信号とビデオＲＡＭ１３の歌詞文字列の画像を合成してディスプレイ２２に表示する。
再生する伴奏音楽データとしては、前述したＭＩＤＩ信号の他に、伴奏音楽をディジタル圧縮符号化したＭＰＥＧデータも利用できる。ＭＰＥＧデータには、歌詞データやビデオデータも多重化されている。ビデオデータは各カラオケ楽曲に合わせた内容のムード映像が圧縮符号化されたものである。
【００１２】
このＭＰＥＧデータは、ＤＶＤ（ディジタルビデオディスク）に格納されている。ＤＶＤプレーヤ２８で各データが読み出されて解凍復号され、歌詞データ、音声データおよびビデオデータに分離される。そして、ＤＶＤプレーヤ２８からの歌詞データは中央処理装置１１に入力される。同時に、ビデオデータは表示制御部１２に入力され、音声データはミキシングアンプ１５に入力される。これら各データは、前述したＭＩＤＩ信号の場合とほぼ同様の処理を経てディスプレイ２２やスピーカ２３から出力される。
【００１３】
＝＝＝＝ＩＣカードを利用したカラオケサービス＝＝＝＝
＜＜概  略＞＞  この発明のカラオケ装置では、図１に示すように、ＩＣカード読取／書込装置６０が中央処理装置１１に接続されている。このＩＣカード読取／書込装置６０にカラオケ利用者が自己のＩＣカード７０を挿入する。すると中央処理装置１１は、記録されたカラオケ関連情報データをカードＩＤとともに読み取ってハードディスク装置２０に一時的に保存する。
これらＩＣカード７０およびＩＣカード読取／書込装置６０はよく知られた構成である。またカラオケ関連情報データは、図２に示すように前述した従来の場合と同様である。
読み取られたＩＣカード７０は、そのまま挿入したままでもよいが、他のカラオケ利用者によるＩＣカード７０の挿入のために抜き取ることが可能である。
【００１４】
中央処理装置１１は、ハードディスク装置２０に一時保存されたカラオケ関連情報データに基づき、後述するカラオケサービスを実行する。このとき、カラオケサービスの実行結果に応じてハードディスク装置２０側におけるカラオケ関連情報を更新しておく。ＩＣカード７０側における古いカラオケ関連情報については、のちにＩＣカード７０がＩＣカード読取／書込装置６０に再度挿入された際に、更新する。
【００１５】
＜＜具体的な動作例＞＞  図３のフローチャートを参照して説明する。ＩＣカード７０がＩＣカード読取／書込装置６０に挿入されたら、カードＩＤおよびカラオケ関連情報データを読み出し、中央処理装置１１はハードディスク装置２０において同じカードＩＤのカラオケ関連情報データが存在しているかを確認する（Ｓ１０→Ｓ２０→Ｓ３０）。存在していない場合には、そのカードＩＤに対応付けてカラオケ関連情報データをハードディスク装置２０の所定の記憶領域にコピーする（Ｓ３０→Ｓ４０）。存在していた場合には、ハードディスク装置２０側のカラオケ関連情報データをＩＣカード７０側にコピーすることで更新する（Ｓ３０→Ｓ５０）。
このＩＣカード７０側の更新処理が終了したら、ハードディスク装置２０側の該当のカラオケ関連情報データを消去してもよい。このことにより、ＩＣカード７０へコピー処理の済んだカラオケ関連情報データがハードディスク装置２０側で無用に残存することがない。
【００１６】
このようなコピー処理が終了すると、ＩＣカード７０に対して読み取りや書き込みの処理は、あらためてＩＣカード読取／書込装置６０に挿入されない限り、行わない（Ｓ６０）。この時点からＩＣカード７０を抜き取っても、カラオケ関連情報データはハードディスク装置２０側にコピーされているため、あとで再度挿入して更新できる。
そして前述した図２の表に示すように、中央処理装置１１は読み出したカラオケ関連情報データを選曲リストとしてディスプレイ２２に表示し、カラオケ利用者からのリクエストを受け付ける。リクエストを受け付けると、ハードディスク装置２０側のカラオケ関連情報データを更新する（Ｓ７０→Ｓ８０→Ｓ９０）。具体的には、新たな選曲内容が加えられたカラオケ関連情報データがハードディスク装置２０に上書きされる。さらに、リクエストした楽曲が実際に演奏されると、演奏条件および採点平均値が加えられた新たなカラオケ関連情報データがハードディスク装置２０に上書きされる。なお演奏終了時に、選曲内容と演奏条件および採点結果をまとめて更新してもよい。
【００１７】
このときＩＣカード７０が抜き取られていなければ、他のカラオケ利用者によるリクエストがないと判断し、更新されたカラオケ関連情報データによる図２の選曲リストをディスプレイ２２に再度表示する（Ｓ１００→Ｓ７０）。この時点でＩＣカード７０側のカラオケ関連情報データを更新してもよい。ＩＣカード７０が抜き取られていれば、ＩＣカード７０の挿入を待つ（Ｓ１００→Ｓ１０）。
【００１８】
選曲リストを表示したのち、リクエストされなかった場合、ＩＣカード７０が抜き取られているかを確認する（Ｓ７０→Ｓ８０→Ｓ１１０）。抜き取られていなかったら他のカラオケ利用者による選曲がないということで、このままリクエストを待つ（Ｓ１１０→Ｓ８０）。ＩＣカード７０が抜き取られていた場合、選曲リストの表示や、これに基づいたリクエストの受け付けの処理を中止するか否かを判断する（Ｓ１１０→Ｓ１２０）。カラオケ利用者の操作により、リモコン送信器２４から中止の信号が送られてこなければ、選曲リストを表示したままリクエストを待つ（Ｓ１２０→Ｓ８０）。中止の信号が送られてきた場合、ハードディスク装置２０側における該当のカードＩＤのカラオケ関連情報データを消去し、ＩＣカード７０の新たな挿入を待つ（Ｓ１２０→Ｓ１３０→Ｓ１０）。
【００１９】
この場合、リクエストがない上にＩＣカード７０が抜き取られており、なおかつ選曲中止の操作がなされていることで、カラオケ関連情報データの更新がなされることはない。したがって、該当のカードＩＤのカラオケ関連情報データをハードディスク装置２０から消去しても支障はない。
なお、Ｓ１２０におけるリクエスト受け付け処理中止の判断を省略して、ＩＣカード７０が抜き取られたことのみを条件にしてもよく、こうすれば、より円滑にできる。
【００２０】
カラオケ利用者がＩＣカード７０を再度挿入してその更新処理を行う処理を忘れた場合には、ハードディスク装置２０側の更新済みのカラオケ関連情報データをＩＣカード７０側へコピーできない。しかしながら、カラオケ関連情報データの内容は、利用料金やクーポンサービスに係るものではなく選曲内容やカラオケ演奏の履歴である。このため大きな問題とはならないとする。
【００２１】
ところで、ハードディスク装置２０におけるカラオケ関連情報データが消去されずに何日間も残っていた場合、ミスコピーの問題が生じる。カラオケ利用者が別のカラオケ装置を利用してＩＣカード７０側のカラオケ関連情報データが更新されたあと、ふたたび以前利用したカラオケ装置を利用すると、そのハードディスク装置２０に残存していた古いカラオケ関連情報データがＩＣカード７０側に上書きされてしまう。
【００２２】
このようなミスコピーを防ぐ対策を講じる必要がある。カラオケ関連情報データをＩＣカード７０から読み出しハードディスク装置２０に書き込んでから、十分に時間が経過してから消去する。カラオケ装置に電源投入した時のイニシャル処理として消去する。
【００２３】
あるいは、ハードディスク装置２０においてカラオケ関連情報データを更新してから所定時間後（例えば２４時間）に消去してもよい。また、ハードディスク装置２０側の更新済みのカラオケ関連情報データをＩＣカード７０へコピーしてから所定の経過時間後に消去してもよい。もちろん、更新しなかったものも所定の経過時間後に消去する。
この消去するタイミング並びにその経過時間の起算の時機は、ミスコピーを防ぐことができれば適宜設計変更できる。
このミスコピー対策により、ハードディスク装置２０のカラオケ関連情報データが過剰に蓄積する事態も回避できる。
【００２４】
＝＝＝＝その他＝＝＝＝
（イ）ＩＣカード７０のほかに、テレフォンカードや光カードと同様の構成の磁気記録あるいは光記録の媒体など、適宜に置換可能な携帯型記録媒体をこの発明に適用できる。この場合、図１の磁気カード読取／書込装置６１や光カード読取／書込装置６２を中央処理装置１１に結合させておく。
（ロ）カラオケ関連情報データを一時的に保存する手段としてハードディスク装置２０のほかに、適宜に置換可能なメモリをこの発明に適用できる。
（ハ）カラオケ利用者による更新のためのＩＣカード７０の再度挿入を忘れてしまうことを防止する対策を講じておいてもよい。
例えば、ハードディスク装置２０側のカラオケ関連情報データが更新されてから所定の時間（２０分程度）以内に該当のカードＩＤのＩＣカードが挿入されなかった場合に、「○○さん、ＩＣカードを更新しますので入れて下さい」といったメッセージをディスプレイ２２の片隅に表示させる。
（ニ）ＩＣカード７０からカラオケ関連情報データを読み取ったのち、実際の選曲操作やカラオケ演奏に応じ、ハードディスク装置２０側におけるカラオケ関連情報データを更新する動作は、変更が適宜可能であり、図３のフローチャートの動作例には限らない。
【００２５】
【発明の効果】
携帯型記録媒体から読み出されたカラオケ関連情報に基づいて選曲処理などが行われ、その結果は付属の記憶装置における所定の情報領域に一時的に更新保存される。のちに携帯型記録媒体を再度挿入した際に、前記情報領域から更新済みのカラオケ関連情報を読み出し、携帯型記録媒体側のカラオケ関連情報を更新する。このため携帯型記録媒体は、カラオケ関連情報が読み出されたら抜き取り、他のカラオケ利用者が携帯型記録媒体を挿入しても、あとで更新処理が可能となる。
【００２６】
したがって、カラオケの利用に応じてカラオケ関連情報が更新されるまで、携帯型記録媒体を読取／書込装置に挿入したままにしておいて、他のカラオケ利用者の携帯型記録媒体が挿入できないといった不具合を解消できる。
このため、複数のカラオケ利用者によるＩＣカードを利用した選曲操作やカラオケ演奏が滞ることなく円滑に行われる。
【００２７】
前記情報領域に対する書込処理を行ってから適宜十分な時間が経過したのち、該当のカラオケ関連情報を消去する。このことで、カラオケ利用者が別のカラオケ装置を利用して携帯型記録媒体側のカラオケ関連情報データが更新されたあと、ふたたび以前利用したカラオケ装置を利用した際に、その記憶装置に残存していた古いカラオケ関連情報データが携帯型記録媒体側に上書きされてしまうといったミスコピーを防げる。
【図面の簡単な説明】
【図１】本発明に係るカラオケ装置のブロック図である。
【図２】本発明に係るカラオケ装置で利用するカラオケ関連情報の一例を示す図表である。
【図３】本発明に係るカラオケ装置の動作の一例を示すフローチャートである。
【符号の説明】
１      カラオケ装置
１０      カラオケ装置本体
１１      中央処理装置
１２      表示制御部
１３      ビデオＲＡＭ
１４      シンセサイザ
１５      ミキシングアンプ
１６      操作制御部
２０      ハードディスク装置
２１      マイク
２２      ディスプレイ
２３      スピーカ
２４      リモコン送信器
２５      ＣＤ−ＲＯＭプレーヤ
２８      ＤＶＤプレーヤ
６０      ＩＣカード読取／書込装置
６１      磁気カード読取／書込装置
６２      光カード読取／書込装置
【図１】
0004067608.tif 000002
【図２】
0004067608.tif 000003
【図３】
0004067608.tif 000004